(57)【要約】【課題】  電子ペーパのコンテンツ画像消去状態を確実なものとして、電子ペーパに表示されたコンテンツ画像を正しく管理する。【解決手段】  電子ペーパＥＰの識別情報と、当該電子ペーパに表示保持されているコンテンツの識別情報とを対応付けて管理テーブル２２に記録管理する。電子ペーパＥＰに表示保持されているコンテンツ（Ｃ＃７００３）を他のコンテンツ（Ｃ＃７００１）に書き換える場合、中間的に、元のコンテンツ（Ｃ＃７００３）を消去するために消去用画像（初期画像）を電子ペーパＥＰに書込み、これを画像読取りで確認した後、コンテンツ（Ｃ＃７００１）に書き換える。管理テーブル２２は消去用画像の書込み状態では、元のコンテンツ識別情報（Ｃ＃７００３）を維持し、書き換え処理において生じる管理テーブルの不一致を防止する。【選択図】  図１
2009075659.tif 000002
【特許請求の範囲】
【請求項１】
画像を無電源状態で表示保持し且つ当該画像を書換え可能な電子ペーパにコンテンツの画像を書き込む書込装置と、電子ペーパに書き込み表示されるコンテンツを管理する管理装置と、を備え、
前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有し、
前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を有することを特徴とするコンテンツ管理システム。
【請求項２】
利用者からの操作入力を受け付けて前記書込装置のコンテンツ画像の書換え指示を送信する選択装置を備えることを特徴とする請求項１に記載のコンテンツ管理システム。
【請求項３】
前記管理装置が前記書込装置に提供するコンテンツを多数記憶するコンテンツ記憶装置を備えることを特徴とする請求項１又は請求項２に記載のコンテンツ管理システム。備えている
【請求項４】
前記消去用画像は、単純な図形の画像であることを特徴とする請求項１乃至請求項３のいずれか１項に記載のコンテンツ管理システム。
【請求項５】
前記消去用画像は、白紙の画像であることを特徴とする請求項１乃至請求項３のいずれか１項に記載のコンテンツ管理システム。
【請求項６】
画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴うコンテンツ要求を前記管理装置へ送信する制御手段と、を有するコンテンツ管理システムであって、
前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有することを特徴とするコンテンツ管理システムの管理装置。
【請求項７】
画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有するコンテンツ管理システムであって、
前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を有することを特徴とするコンテンツ管理システムの書込装置。
【請求項８】
画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴うコンテンツ要求を前記管理装置へ送信する制御手段と、を有するコンテンツ管理システムであって、
コンピュータに、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を実現することで前記管理装置を構成することを特徴とするプログラム。
【請求項９】
画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有するコンテンツ管理システムであって、
コンピュータに、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を実現することで前記書込装置を構成することを特徴とするプログラム。
【発明の詳細な説明】
【技術分野】
【０００１】
本発明は、電子ペーパに書き込まれるコンテンツを管理するシステムに関し、特に、管理を外れてコンテンツ画像が電子ペーパに表示されたままの状態となることを防止する技術に関する。
【背景技術】
【０００２】
オフィスで利用されるドキュメント等のコンテンツを管理するために、コンテンツに対して行われた閲覧、編集、印刷等の操作を履歴として記録し、コンテンツが誤って流出した場合などに、履歴からその流出経路の特定を行って速やかな対策をとることを可能にしている。
【０００３】
近年、コンテンツ画像を無電源状態で表示保持し且つ当該文書画像を書換え可能な電子ペーパが実用化されており、紙に代わるコンテンツ表示媒体として利用拡大が望まれている。
電子ペーパにはコンテンツ画像の書込方式で種々な形式があり、例えば、光書込方式の電子ペーパでは書込装置によりコンテンツ画像を投影することで電子ペーパにコンテンツ画像を表示保持させ、また、電子書込方式の電子ペーパでは書込装置により電子データでコンテンツ画像を書き込むことで電子ペーパにコンテンツ画像を表示保持させるようにしている。
いずれの形式の電子ペーパにあっても、電子ペーパは表示した文書が像を持ち運ぶことが容易であるので、モバイル環境でコンテンツを表示する媒体として有用なものである。
【０００４】
ここで、電子ペーパを用いたコンテンツの閲覧といった利用を考えると、コンテンツ画像を電子ペーパに無電源状態で表示保持して自由に持ち運ぶことができる、電子ペーパの表示コンテンツを他のコンテンツに書き換えて繰り返し使用することができる、等といった利点がある。そして、このような電子ペーパを利用するコンテンツ管理では、電子ペーパの識別情報と当該電子ペーパに書込んだコンテンツの識別情報とを管理することで行うことができる。
【０００５】
可逆性記録媒体への印刷時に付加するコードシンボルをシンボル光学センサで読み取って印字品質の良否判定を行い、また、当該媒体への新しいコンテンツの印刷履歴により元のコンテンツは消去されたとして管理する発明が提案されている（特許文献１参照。）。
表示媒体にＲＦＩＤ等のＩＤ記憶手段を設け、これに記録されるＩＤ情報と表示媒体に表示したコンテンツとの関係情報を管理し、表示媒体を用いて関連付けられたコンテンツ情報をＰＣ上に読み出す等の処理を行う発明が提案されている（特許文献２参照。）。
【特許文献１】特開２００７―０３８４６０号公報
【特許文献２】特開２００６―０５３６８６号公報
【発明の開示】
【発明が解決しようとする課題】
【０００６】
電子ペーパは表示保持されているコンテンツ画像Ａを他のコンテンツ画像Ｂで書き換えることで、当該コンテンツ画像Ａが消去されると言う使用形態が一般的となることから、上記のように電子ペーパに書込んだ画像を管理することで、元のコンテンツ画像Ａが流出したか否かを管理することができる。
しかしながら、例えば、書込み装置の不具合によって、コンテンツ画像Ｂの書込みが十分に行えず、元のコンテンツ画像Ａが電子ペーパに表示されたままで残ってしまった場合には、コンテンツの管理内容との不一致が生じてしまい、管理を外れてコンテンツ画像Ａが電子ペーパによって流出してしまう状態となる。
【０００７】
これに対して、コンテンツ画像Ｂの書込みが確実になされたかを確認する方法が考えられるが、この方法のためには、複雑な内容のコンテンツ画像を読み取るためのスキャナ処理を行わなければならない。このため、高解像度の高価なスキャナが必要となるばかりか、読み取り画像の判定処理でも扱う情報量が大きくなる。更には、読み取り精度を上げるための位置決めの工夫や、電子ペーパや機器の揺らぎを考慮した複雑な画像処理が必要となってしまう。
【０００８】
本発明は、上記従来の事情に鑑みなされたものであり、高性能な画像読み取りを必要とせずに、電子ペーパのコンテンツ画像消去状態を確実なものとして、電子ペーパに表示されたコンテンツ画像を正しく管理できるようにすることを目的としている。
【課題を解決するための手段】
【０００９】
請求項１のコンテンツ管理システムは、画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有し、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を有することを特徴とする。
【００１０】
請求項２のコンテンツ管理システムは、請求項１において、利用者からの操作入力を受け付けて前記書込装置のコンテンツ画像の書換え指示を送信する選択装置を備えることを特徴とする。
【００１１】
請求項３のコンテンツ管理システムは、請求項１又は請求項２において、前記管理装置が前記書込装置に提供するコンテンツを多数記憶するコンテンツ記憶装置を備えることを特徴とする。
【００１２】
請求項４のコンテンツ管理システムは、請求項１乃至請求項３のいずれかにおいて、前記消去用画像は、単純な図形の画像であることを特徴とする。
【００１３】
請求項５のコンテンツ管理システムは、請求項１乃至請求項３のいずれかにおいて、前記消去用画像は、白紙の画像であることを特徴とする。
【００１４】
請求項６の管理装置は、画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴うコンテンツ要求を前記管理装置へ送信する制御手段と、を有するコンテンツ管理システムであって、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有することを特徴とする。
【００１５】
請求項７の書込装置は、画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有するコンテンツ管理システムであって、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を有することを特徴とする。
【００１６】
請求項８のプログラムは、画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記書込装置は、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴うコンテンツ要求を前記管理装置へ送信する制御手段と、を有するコンテンツ管理システムであって、コンピュータに、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を実現することで前記管理装置を構成することを特徴とする。
【００１７】
請求項９のプログラムは、画像を無電源状態で表示保持し且つ当該画像を書換え可能な電子ペーパにコンテンツの画像を書き込む書込装置と、電子ペーパに書き込み表示されるコンテンツを管理する管理装置と、を備え、前記管理装置は、電子ペーパを識別する情報と当該電子ペーパに書き込み表示されているコンテンツを識別する情報とを対応付けて管理する管理手段と、書き込み対象の電子ペーパ識別情報を伴う要求を前記書込装置から受信したことに応じてコンテンツを当該書込装置に送信する制御手段と、前記要求を書込装置から受信したことに応じて前記書込装置に送信するコンテンツの識別情報を当該電子ペーパ識別情報に対応付けて前記管理手段に記録する更新手段と、を有するコンテンツ管理システムであって、コンピュータに、電子ペーパに画像を書込む書込手段と、消去用画像を保持する画像保持手段と、書き込み対象の電子ペーパに表示保持されている画像を読み取って前記消去用画像との一致を判定する判定手段と、前記消去用画像との一致が判定されたことに応じて当該電子ペーパ識別情報を伴う前記要求を前記管理装置へ送信する制御手段と、を実現することで前記書込装置を構成することを特徴とする。
【発明の効果】
【００１８】
請求項１のコンテンツ管理システムによると、特定の消去法画像を読み取り判定することにより、電子ペーパにおけるコンテンツ画像の消去を確認した上でコンテンツ画像の書込みを行うため、高性能な画像読み取りを必要とせずに、電子ペーパのコンテンツ画像消去状態を確実なものとして、電子ペーパに表示されたコンテンツ画像を正しく管理することができる。
【００１９】
請求項２のコンテンツ管理システムによると、上記作用効果を奏するシステムを利用者にとってより使い易い態様で構成することができる。
【００２０】
請求項３のコンテンツ管理システムによると、上記作用効果を奏するシステムを既存の文書管理システムを利用することで容易に構成することができる。
【００２１】
請求項４のコンテンツ管理システムによると、画像の読み取り判定精度を低くしても、上記作用効果をそうすることができる。
【００２２】
請求項５のコンテンツ管理システムによると、画像の読み取り判定精度を低くしても、上記作用効果をそうすることができる。
【００２３】
請求項６の管理装置によると、上記作用効果を奏するコンテンツ管理システムを実現することができる。
【００２４】
請求項７の書込装置によると、上記作用効果を奏するコンテンツ管理システムを実現することができる。
【００２５】
請求項８のプログラムによると、上記作用効果を奏するコンテンツ管理システムをコンピュータを利用して実現することができる。
【００２６】
請求項９のプログラムによると、上記作用効果を奏するコンテンツ管理システムをコンピュータを利用して実現することができる。
【発明を実施するための最良の形態】
【００２７】
本発明の一実施形態に係るコンテンツ管理システムを説明する。
まず、本例のコンテンツ管理システムに利用することができる電子ペーパについて説明する。
電子ペーパには、画像の書込方式で種々の形式があるが、ここでは、書込装置により電子的に画像が書き込まれる電子書き込み型と、書込装置により投影することで画像が書き込まれる光書き込み型とを説明する。
【００２８】
電子書き込み型電子ペーパは、例えばＡ４版の用紙のような大きさのフレキシブルな薄型媒体であり、複写機にトナーとして利用されている微細な着色粒子（例えば、白色粒子と黒色粒子）を少なくとも表面側が透明な表裏一対の電極間に封入し、これを少なくとも表面側が透明な表裏一対のフィルム基板で挟んだ構造となっている。着色粒子が自由に移動できるように電極層間は空気層となっており、また、マトリックス状の電極層には着色粒子との接触を防止する絶縁層が設けられている。なお、カラーフィルターを用いることにより、簡単な構造でカラー表示を実現することも可能である。
【００２９】
そして、電子書き込み型電子ペーパは、電極に電圧を印加していない状態では、負に帯電した白色粒子は裏面側に溜まる一方、正に帯電した黒色粒子は表面側に溜まり、表面側から目視すると黒色な状態となる。そして、書込装置の書込手段（ドライバ）が電子データに基づいて動作して表示する画像に応じたマトリックスの所要部の電極極性を反転させると、白色粒子と黒色粒子との位置関係が入れ替わって、白色粒子と黒色粒子とのコントラストによる画像が表示される。なお、異なる電子データに基づいて書込装置のドライバを動作させることにより、白色粒子と黒色粒子とのコントラストにより表示される画像を切り換えることができ、幾度も再使用することができる。
【００３０】
光書き込み型電子ペーパは、例えばＡ４版の用紙のような大きさのフレキシブルな薄型媒体であり、例えば、書込装置の書込手段（液晶パネル）に画像を表示し、電子ペーパの書込電極に外部の電源から電圧を印加しながら当該電子ペーパを液晶パネルに重ねて光を照射することにより、液晶パネルに表示させた画像を転写して表示記憶させることができ、書込電極に印加した電圧を除去した後も当該画像を表示状態で保持し続ける。
【００３１】
光書き込み型電子ペーパは、例えば、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造となっている。なお、この構成では、コレステリック液晶層が光を反射する白表示と、光が液晶層を透過しコレステリック液晶層と有機光導電層との間に設けられた黒色層で吸収される黒表示のモノクロ画像表示が可能である。さらにコレステリック液晶には螺旋ピッチに応じたカラー光を干渉反射するという特性があるので、コレステリック液晶層を螺旋ピッチの異なる液晶を積層した構成にすることにより、簡単な構造でカラー表示を実現することも可能である。
【００３２】
図１には、本例に係るコンテンツ管理システムを示してある。
本例のコンテンツ管理システムは、画像を無電源状態で表示保持し且つ当該画像を書換え可能な電子ペーパＥＰに画像を書き込む書込装置１と、電子ペーパＥＰに書き込み表示されるコンテンツを管理する管理装置２と、利用者からの操作入力を受け付けて書込装置１のコンテンツ画像の書換え指示を送信する選択装置３とを、ネットワーク（ＬＡＮ）を介して接続する構成となっている。
本例では、利用者からの操作入力を受け付ける選択装置３としてネットワークに無線回線を介して接続する通信端末（携帯電話機、モバイルＰＣ等）を用いているが、利用者からの操作入力を受け付ける機能を書込装置１に備えて、選択装置３を設けないシステム構成としてもよい。
【００３３】
書込装置１は、ネットワークを介した通信処理を行う通信制御手段１０と、電子ペーパＥＰに画像を書込む画像書込手段１１と、消去用画像としての初期画像を保持する初期画像格納手段１２と、書き込み対象の電子ペーパＥＰに記録されている識別情報（MEDIA  ID）を読み取るとともに当該電子ペーパＥＰに表示保持されている画像を光学的に読み取って初期画像との一致を判定する光学画像判定手段１３と、判定手段１３で初期画像との一致が判定されたことに応じて当該電子ペーパ識別情報（MEDIA  ID）及び選択装置３から利用者により入力された書込むべきコンテンツを指定するコンテンツ識別情報（DISPLAY  CONTENT  ID）を伴う要求を通信制御手段１０により管理装置２へ送信する書込制御手段１４と、を有している。
【００３４】
ここで、本例では、電子ペーパ識別情報（MEDIA  ID）はコード化されて各電子ペーパＥＰに印刷されており、光学画像判定手段１３が当該電子ペーパ識別情報を光学的に読み取って取得するが、電子ペーパにメモリを設け、電子ペーパ識別情報は電子データとして当該メモリに格納しておき、光学画像判定手段１３が電子ペーパ識別情報を電気的に読み取って取得するようにしてもよい。
なお、本例の書込装置１が有する上記各機能は、コンピュータで本発明に係るプログラムを実行することで構成されている。
【００３５】
管理装置２は、ネットワークを介した通信処理を行う通信制御手段２０と、書込装置１に提供するコンテンツを多数記憶するコンテンツ格納手段２１と、電子ペーパＥＰの識別情報（MEDIA  ID）と当該電子ペーパに書き込み表示されているコンテンツの識別情報（DISPLAY  CONTENT  ID）とを対応付けて記憶管理する管理テーブル２２と、書き込み対象の電子ペーパ識別情報及び電子ペーパ識別情報を伴う要求を書込装置１から受信したことに応じて当該要求で指定されたコンテンツをコンテンツ格納手段２１から読み出して通信制御手段２０により要求元の書込装置２へ送信させる読出手段２３と、前記要求を書込装置１から受信したことに応じて当該書込装置１に送信するコンテンツ識別情報（DISPLAY  CONTENT  ID）を要求された電子ペーパ識別情報（MEDIA  ID）に対応付けて管理テーブル２２に記録する更新手段２４と、を有している。
【００３６】
ここで、本例では、読出手段２３は読み出したコンテンツを電子ペーパＥＰへの書込ができる形式（コンテンツ画像）に変換して通信制御手段２０から書込装置１へ送信するが、管理装置１から変換前のコンテンツを送信して書込装置１側で変換するようにしてもよい。
また、本例では、コンテンツ格納手段２１を管理装置２に一体的に設けているが、コンテンツ格納手段２１をネットワーク上のサーバとして設け、当該サーバに管理装置２がアクセスして必要なコンテンツを取得するようにしてもよい。
なお、本例の管理装置２が有する上記各機能は、コンピュータで本発明に係るプログラムを実行することで構成されている。
【００３７】
次に、上記構成のコンテンツ管理システムによる処理を説明する。
まず、図１に示す状態では、識別情報（MEDIA  ID）がそれぞれＭ＃１００１、Ｍ＃１００２、Ｍ＃１００３の３枚の電子ペーパＥＰに対して、いずれの電子ペーパＥＰにもコンテンツ画像が書き込み表示されていない（初期画像が書き込み表示されている）。
この状態では、管理装置２の管理テーブル２２には、管理下にある各電子ペーパＥＰの識別情報に対応付けて、コンテンツが書込まれていないことを示す情報（Nothing）が記録されている。
【００３８】
そして、図２に示すように、識別情報（MEDIA  ID）がＭ＃１００１の電子ペーパＥＰに、コンテンツ識別情報（DISPLAY  CONTENT  ID）がＣ＃７００３のコンテンツの画像が書き込み表示されている状態では、管理装置２の管理テーブル２２には、電子ペーパ識別情報（MEDIA  ID）のＭ＃１００１に対応付けて、コンテンツ識別情報（DISPLAY  CONTENT  ID）のＣ＃７００３が記録されて管理される。
【００３９】
図２に示す状態から、利用者が選択装置３を操作して、電子ペーパＥＰ（Ｍ＃１００１）の表示コンテンツ（Ｃ＃７００３）を他のコンテンツ（Ｃ＃７００１）に書き換える指示を書込装置１に入力し、図３に示すように、当該電子ペーパＥＰ（Ｍ＃１００１）を書込装置２にセットすると、書込装置１はセットされた電子ペーパＥＰ（Ｍ＃１００１）に対して、初期画像格納手段１２に保持している初期画像を画像書込手段１１により書込んで表示させる。
なお、この状態では、管理装置の管理テーブル２２は、電子ペーパＥＰ（Ｍ＃１００１）の表示コンテンツはＣ＃７００３のままである。
【００４０】
そして、図４に示すように、当該初期画像が書き込み表示された電子ペーパＥＰ（Ｍ＃１００１）を光学画像判定手段１３が画法読み取りし、初期画像格納手段１２に保持している初期画像と電子ペーパから読み取った画像とが一致するかを判定する。すなわち、光学画像判定手段１３は、電子ペーパＥＰに初期画像が正しく書込まれて、元のコンテンツ画像（Ｃ＃７００３）が初期画像によって書き換え消去されたかを判定する。
この画像読取り判定において、初期画像は単純な図形の画像であることから、光学画像判定手段１３の画像解像度はそれ程高くなくても十分な判定精度が得られる。これは初期画像（消去用画像）を白紙の画像とした場合においても同様である。
【００４１】
なお、同図では便宜的に、画像書込手段１１による画像書込み位置と、光学画像判定手段１３による画像読み取り位置とが異なるように表現されているが、これら位置は同じ位置でも異なる位置でもよく、書込装置１における画像書込手段１１と光学画像判定手段１３との設定による。
【００４２】
上記の判定の結果、初期画像の一致が得られない場合には、書込装置１は利用者に対するエラー通知をする等して処理を中止する。
一方、上記の判定の結果、初期画像の一致が得られた場合には、書込装置１の書込制御手段１４は、前記利用者から指示された書換えコンテンツの識別情報（Ｃ＃７００１）及び光学画像判定手段１３の読み取り処理の際に取得した電子ペーパ識別情報（Ｍ＃１００１）、更には、送信元の自己のアドレス情報を含む要求を通信制御手段１０から管理装置２へ送信して、図５に示すように、コンテンツの書き換えを待機する。
【００４３】
管理装置２は、書込装置１から上記要求を受信すると、読出手段２３が、要求されたコンテンツ識別情報（Ｃ＃７００１）のコンテンツをコンテンツ格納手段２１から読み出して電子ペーパ表示用の形式に変換し、通信制御手段２０から要求元の書込装置へ当該変換したコンテンツ画像を送信する。また、これとともに、図６に示すように、管理装置２では、更新手段２４が、要求された電子ペーパの識別情報（Ｍ＃１００１）に対応付けて送信したコンテンツの識別情報（Ｃ＃７００１）を管理テーブル２２に記録する。
書込装置１は、管理装置２から上記コンテンツ画像を受信すると、画像書込手段１１により電子ペーパ識別情報（Ｍ＃１００１）に対して当該コンテンツ（Ｃ＃７００１）に画像を書込んで表示させる。
【００４４】
上記のように、本例のコンテンツ管理システムによると、図７に示すように、或るコンテンツ（Ｃ＃７００１）が書込表示されている電子ペーパ（Ｍ＃１００１）を他のコンテンツに書き換える場合、中間的に、当該電子ペーパに消去用画像（初期画像）を書込む。そして、この消去用画像が確実に書込まれて元のコンテンツ画像（Ｃ＃７００１）が消去されたかを判定確認するが、この判定期間においても管理テーブルは元の状態（電子ペーパ（Ｍ＃１００１）にコンテンツ（Ｃ＃７００１）が表示されている）を維持し、これによって、もし消去用画像の書込みが十分になされず（読取り判定で一致が得られず）、元のコンテンツ画像（Ｃ＃７００１）が電子ペーパ（Ｍ＃１００１）に残ったままとなっても、管理テーブル２２と実際との整合性が維持されるようにしている。
【図面の簡単な説明】
【００４５】
【図１】本発明の一実施例に係るコンテンツ管理装置を示す図である。
【図２】本発明の一実施例に係るコンテンツ管理装置の処理を説明する図である。
【図３】本発明の一実施例に係るコンテンツ管理装置の処理を説明する図である。
【図４】本発明の一実施例に係るコンテンツ管理装置の処理を説明する図である。
【図５】本発明の一実施例に係るコンテンツ管理装置の処理を説明する図である。
【図６】本発明の一実施例に係るコンテンツ管理装置の処理を説明する図である。
【図７】本発明の一実施例に係るコンテンツ管理装置の処理を説明する図である。
【符号の説明】
【００４６】
１：書込み装置、  ２：管理装置、
３：選択装置、  １０：通信制御手段、
１１：画像書込手段、  １２：初期画像格納手段、
１４：書込制御手段、  ２０：通信制御手段、
２１：コンテンツ格納手段、  ２２：管理テーブル、
２３：読出手段、  ２４：更新手段、
ＥＰ：電子ペーパ、
【図１】
2009075659.tif 000003
【図２】
2009075659.tif 000004
【図３】
2009075659.tif 000005
【図４】
2009075659.tif 000006
【図５】
2009075659.tif 000007
【図６】
2009075659.tif 000008
【図７】
2009075659.tif 000009